(57)【特許請求の範囲】
【請求項１】
互いに異なるチャネルを使用して生体情報を送信する送信機を設置するサイトのうちユーザーにより指定されたサイトを受け付けるサイト受付部と、
使用されていない空きチャネルであって、前記サイト受付部により受け付けられたサイトで使用される場合に、すでに使用されているチャネルと混信を起こさないチャネルを特定する特定部と、
前記特定部により特定されたチャネルを表示する表示部と、
前記サイト受付部により受け付けられたサイトで使用するチャネルとしてユーザーにより指定されたチャネルを受け付けるチャネル受付部と、
前記チャネル受付部により受け付けられたチャネルを、使用チャネルとして登録する登録部と、を有し、
前記特定部は、前記登録部に前記使用チャネルとして登録されていないチャネルを前記空きチャネルとして特定する送信機管理装置。
【請求項２】
前記特定部は、サイトごとに設定された、混信を起こさないチャネルの組合せからなるゾーンのうち、前記サイト受付部において受け付けられたサイトに設定されたゾーンにおいて使用されていないチャネルを特定する、請求項１に記載の送信機管理装置。
【請求項３】
前記チャネル受付部は、前記登録部に登録されている前記使用チャネルと同一のチャネルがユーザーにより指定された場合、指定されたチャネルを受け付けない、請求項１または２に記載の送信機管理装置。
【請求項４】
前記チャネル受付部は、ユーザーに指定されたチャネルが、登録されている前記使用チャネルと混信を起こすチャネルである場合は、警告を発する、請求項１〜３のいずれか一項に記載の送信機管理装置。
【請求項５】
前記チャネル受付部は、ユーザーに指定されたチャネルが、前記サイト受付部により受け付けられたサイトに設定されたゾーンに含まれていない場合は、警告を発する、請求項１〜４のいずれか一項に記載の送信機管理装置。
【請求項６】
前記表示部は、前記登録部に登録された前記使用チャネルを使用する前記送信機の設置場所およびチャネルの使用状況の少なくとも一つを、施設構造図、ゾーン管理表、およびチャネル一覧の少なくとも一つによりさらに表示する、請求項１〜５のいずれか一項に記載の送信機管理装置。
【請求項７】
前記登録部は、前記使用チャネルを使用する前記送信機の情報を、前記使用チャネルと関連付けてさらに登録し、
前記登録部に登録された前記送信機の情報を、前記使用チャネルと関連付けて出力する登録情報出力部をさらに有する、請求項１〜６のいずれか一項に記載の送信機管理装置。
【請求項８】
前記チャネル受付部により受け付けられたチャネルへの前記送信機のチャネルの設定または変更を行うための制御信号を出力する制御信号出力部をさらに有する、請求項１〜７のいずれか一項に記載の送信機管理装置。
【請求項９】
前記表示部は、前記登録部により登録された前記使用チャネルに前記送信機のチャネルが設定されたことの確認を求める確認画面をさらに表示し、前記確認画面において確認したことを示す応答がユーザーにより入力されない限り前記確認画面の表示を継続する、請求項１〜８のいずれか一項に記載の送信機管理装置。
【請求項１０】
互いに異なるチャネルを使用して生体情報を送信する送信機を設置するサイトのうちユーザーにより指定されたサイトを受け付ける手順（ａ）と、
使用されていない空きチャネルであって、前記手順（ａ）において受け付けられたサイトで使用される場合に、すでに使用されているチャネルと混信を起こさないチャネルを特定する手順（ｂ）と、
前記手順（ｂ）において特定されたチャネルを表示する手順（ｃ）と、
前記手順（ａ）において受け付けられたサイトで使用するチャネルとしてユーザーにより指定されたチャネルを受け付ける手順（ｄ）と、
前記手順（ｄ）において受け付けられたチャネルを、使用チャネルとして登録する手順（ｅ）と、を有し、
前記手順（ｂ）は、前記使用チャネルとして登録されていないチャネルを前記空きチャネルとして特定する手順を送信機管理装置に実行させるためのプログラム。
【請求項１１】
前記手順（ｂ）は、サイトごとに設定された、混信を起こさないチャネルの組合せからなるゾーンのうち、前記手順（ａ）において受け付けられたサイトに設定されたゾーンにおいて使用されていないチャネルを特定する、請求項１０に記載のプログラム。
【請求項１２】
前記手順（ｄ）は、登録されている前記使用チャネルと同一のチャネルがユーザーにより指定された場合、指定されたチャネルを受け付けない、請求項１０または１１に記載のプログラム。
【請求項１３】
前記手順（ｄ）は、ユーザーに指定されたチャネルが、登録されている前記使用チャネルと混信を起こすチャネルである場合は、警告を発する、請求項１０〜１２のいずれか一項に記載のプログラム。
【請求項１４】
前記手順（ｄ）は、ユーザーに指定されたチャネルが、前記手順（ａ）において受け付けられたサイトに設定されたゾーンに含まれていない場合は、警告を発する、請求項１０〜１３のいずれか一項に記載のプログラム。
【請求項１５】
前記手順（ｃ）は、登録された前記使用チャネルを使用する前記送信機の設置場所およびチャネルの使用状況の少なくとも一つを、施設構造図、ゾーン管理表、およびチャネル一覧の少なくとも一つによりさらに表示する、請求項１０〜１４のいずれか一項に記載のプログラム。
【請求項１６】
前記手順（ｅ）は、前記使用チャネルを使用する前記送信機の情報を、前記使用チャネルと関連付けてさらに登録し、
前記手順は、前記手順（ｅ）において登録された前記送信機の情報を、前記使用チャネルと関連付けて出力する手順（ｆ）をさらに有する、請求項１０〜１５のいずれか一項に記載のプログラム。
【請求項１７】
前記手順は、前記手順（ｄ）において受け付けられたチャネルへの前記送信機のチャネルの設定または変更を行うための制御信号を出力する手順（ｇ）をさらに有する、請求項１０〜１６のいずれか一項に記載のプログラム。
【請求項１８】
前記手順は、前記手順（ｅ）において登録された前記使用チャネルに前記送信機のチャネルが設定されたことの確認を求める確認画面を表示し、前記確認画面において確認したことを示す応答がユーザーにより入力されない限り前記確認画面の表示を継続する手順（ｈ）をさらに有する、請求項１０〜１７のいずれか一項に記載のプログラム。
【発明の詳細な説明】
【技術分野】
【０００１】
本発明は、送信機管理装置および送信機管理装置用プログラムに関し、特に、生体情報を送信する送信機管理装置および送信機管理装置用プログラムに関する。
【背景技術】
【０００２】
患者の心電図波形や心拍数等の生体情報を計測して、生体情報を管理する受信機へ無線送信するテレメータ機器等の送信機が知られている。送信機から受信機へ送信された生体情報は、受信機で解析および処理が行われ、受信機のモニタで生体情報波形および数値情報が表示されることにより、医師等は、患者の容態等をリアルタイムで把握できる。
【０００３】
送信機は、互いに異なるチャネルを使用して生体情報を送信する。受信機は、送信機から受信する無線信号のチャネルの周波数に基づいて、無線信号に重畳された生体信号がいずれの送信機から送信されたかを判断する。したがって、それぞれの送信機により使用されるチャネルは、重複等しないように管理する必要がある。このようなチャネルの管理を手作業により行うと、送信機のチャネルを変更等する際に管理記録の変更忘れや入力ミス等のヒューマンエラーが発生することでチャネルの重複等によるチャネルの混信が発生する可能性がある。
【０００４】
送信機により使用されるチャネルの、受信機への設定間違いを防止する技術が下記特許文献１に開示されている。すなわち、送信機により使用されるチャネルの情報を可視光により受信機に通知する通知部を当該送信機に設ける。これにより、送信機により使用されるチャネルが送信機から受信機に通知されるため、手作業によるチャネルの設定が不要となり、チャネルの設定間違いを防止できる。
【先行技術文献】
【特許文献】
【０００５】
【特許文献１】特開２０１５−１６３３７７号公報
【発明の概要】
【発明が解決しようとする課題】
【０００６】
しかし、特許文献１に記載された先行技術は、送信機にあらかじめ設定されたチャネルの変更を行わないことを前提としている。このため、新たに使用する送信機を追加する場合や、送信機の使用場所を変更する場合等に、互いに混信を生じさせない適切なチャネルの設定ができないという問題がある。
【０００７】
本発明はこのような問題を解決するためになされたものである。すなわち、混信を起こさないチャネルの送信機への設定を確実かつ容易に実現可能な送信機管理装置を提供することを目的とする。
【課題を解決するための手段】
【０００８】
本発明の上記課題は、以下の手段によって解決される。
【０００９】
互いに異なるチャネルを使用して生体情報を送信する送信機を設置するサイトのうちユーザーにより指定されたサイトを受け付けるサイト受付部と、使用されていない空きチャネルであって、サイト受付部により受け付けられたサイトで使用される場合に、すでに使用されているチャネルと混信を起こさないチャネルを特定する特定部と、特定部により特定されたチャネルを表示する表示部と、サイト受付部により受け付けられたサイトで使用するチャネルとしてユーザーにより指定されたチャネルを受け付けるチャネル受付部と、チャネル受付部により受け付けられたチャネルを、使用チャネルとして登録する登録部と、を有し、前記特定部は、前記登録部に前記使用チャネルとして登録されていないチャネルを前記空きチャネルとして特定する送信機管理装置。
【発明の効果】
【００１０】
ユーザーが送信機を設置しようとする場所に応じて、すでに使用されているチャネルと混信を起こさないチャネルを表示することにより、混信を起こさないチャネルの送信機への設定を確実かつ容易に実現できる。
【図面の簡単な説明】
【００１１】
【図１】本発明の実施形態に係る送信機管理装置を含む医療用システムの構成を示すブロック図である。
【図２】バンドとチャネルとゾーンとの関係を示す説明図である。
【図３】送信機の構成を示すブロック図である。
【図４】受信機の構成を示すブロック図である。
【図５】送信機管理装置の構成を示すブロック図である。
【図６】表示部に表示された施設構造図を示す図である。
【図７】表示部に表示された施設構造図においてサイトが選択された場合に表示される画面を示す図である。
【図８】送信機の移動が指定された際に表示される確認画面を示す図である。
【図９】表示部に表示されたゾーン管理表を示す図である。
【図１０】表示部に表示されたチャネル一覧を示す図である。
【図１１】表示部に表示された送信機管理画面を示す図である。
【図１２】送信機管理画面において送信機を新たに登録する際に表示される送信機新規登録画面を示す図である。
【図１３】表示部に表示された施設マップ編集画面を示す図である。
【図１４】表示部に表示された施設属性編集画面を示す図である。
【図１５】サイト名を変更するための画面を示す図である。
【図１６】表示部に表示されたチャネル変更リストの画面を示す図である。
【図１７】表示部に表示された管理表出力画面を示す図である。
【図１８】送信機管理装置の動作を示すフローチャートである。
【発明を実施するための形態】
【００１２】
以下、図面を参照して、本発明の実施形態に係る送信機管理装置および送信機管理装置用プログラムについて詳細に説明する。
【００１３】
図１は、本発明の実施形態に係る送信機管理装置を含む医療用システムの構成を示すブロック図である。
【００１４】
医療用システム１００は、送信機１２０、受信機１３０、および送信機管理装置１１０を有する。送信機１２０の数および受信機１３０の数は限定されない。
【００１５】
送信機１２０は、テレメータ機器により構成されることができ、患者から計測された生体情報を、互いに異なるチャネルを使用して無線信号により送信する（以下、送信機１２０により送信される無線信号を「送信信号」と称する）。チャネルとは、生体情報を無線送信するために割り当てられた周波数である。チャネルは、送信機１２０に割り当てられた周波数帯域であるバンドの範囲内で設定され得る。送信機１２０は、通常、１人の患者に対して１つが取り付けられる。
【００１６】
受信機１３０は、例えば、セントラルモニタであり、各送信機１２０により送信された送信信号を受信し、送信信号を解析および処理することにより、生体情報を波形や数値等により表示する。生体情報には、例えば、心電図波形、心拍数、呼吸数、および酸素飽和度が含まれる。
【００１７】
受信機１３０には、各送信機１２０により使用されるチャネルが、各送信機１２０の情報と対応付けて設定され得る。これにより、受信機１３０は、送信信号の周波数に基づいてチャネルを認識することで送信信号を送信した送信機１２０を特定でき、計測した送信機１２０の情報とともに生体情報を表示できる。
【００１８】
送信機管理装置１１０は、例えば、ＰＣ（Ｐｅｒｓｏｎａｌ  Ｃｏｍｐｕｔｅｒ）により構成されることができ、送信機１２０に使用されるチャネルを管理する。
【００１９】
送信機１２０により使用されるチャネルは、病院等の施設内で設定されたゾーンにしたがって配分されることが望ましい。ゾーンとは、混信を起こさないチャネルの組合せである。混信とは、無線信号の電波が混じり正常な受信が困難になることであり、チャネルの重複、チャネルの周波数の近接、および相互変調により発生し得る。
【００２０】
図２は、バンドとチャネルとゾーンとの関係を示す説明図である。
【００２１】
例えば、送信機１２０にバンド１が割り当てられている場合は、チャネルは、４２０．０５００ＭＨｚ〜４２１．０３７５ＭＨｚの周波数範囲で、１２．５ｋＨｚ間隔で設定され得る。バンド１の範囲で設定されたチャネルは、ゾーン１〜ゾーン９の９つのゾーンに区分され得る。ゾーンは、同じゾーンに含まれるチャネル相互の混信が起こらないチャネルの組合せとして規定されている。そのため、送信機１２０が互いに比較的近接して設置され得る範囲を一つのサイトとして他のサイトと区分して設定し、同じサイトでは、同じゾーンに含まれるチャネルを使用することが望ましい。例えば、病院においては、病棟ごとの各階がサイトとして設定され得る。以下、１つのサイト内で、同じゾーンに含まれるチャネルのみが使用されるように管理することをゾーン管理と称する。
【００２２】
本明細書においては、ゾーン番号が同じでも、異なるバンド内で区分されたゾーンは異なるゾーンとして説明する。例えば、バンド１のゾーン１と、バンド２のゾーン１は異なるゾーンである。
【００２３】
図３は、送信機１２０の構成を示すブロック図である。
【００２４】
送信機１２０は、制御部１２１、センサー１２２、記憶部１２３、送信部１２４、および制御信号入力部１２５を有する。
【００２５】
センサー１２２は、患者の生体情報を計測する。センサー１２２は、例えば、心電図電極等により構成され得る。
【００２６】
記憶部１２３は、各種プログラムおよび各種データを記憶する。記憶部１２３は、例えば、ＲＡＭ（Ｒａｎｄｏｍ  Ａｃｃｅｓｓ  Ｍｅｍｏｒｙ）、およびフラッシュメモリにより構成され得る。ＲＡＭは、例えば、制御部１２１によりプログラムが実行される際の作業領域として使用される。フラッシュメモリには、制御部１２１が送信機１２０の各構成要素を制御するともに、各種データを処理するためのプログラムが記憶される。また、フラッシュメモリには、送信機１２０に設定されたチャネルの情報や、センサー１２２により計測された生体情報を含む各種データが記憶される。フラッシュメモリには、送信機１２０に設定されたチャネルの情報として、例えば、１００１〜６０８０のいずれかのチャネルの番号が記憶され得る。
【００２７】
送信部１２４は、センサー１２２により計測された生体情報を、記憶部１２３に記憶されているチャネルの情報に含まれるチャネルの周波数で生体情報を無線送信する。
【００２８】
制御信号入力部１２５は、送信機管理装置１１０の制御信号出力部１１６から出力された制御信号を受信あるいはチャネルライタを接続するためのインターフェースである。制御信号入力部１２５は、例えば、ＵＳＢ（Ｕｎｉｖｅｒｓａｌ  Ｓｅｒｉａｌ  Ｂｕｓ）、Ｂｌｕｅｔｏｏｔｈ（登録商標）、無線ＬＡＮ（Ｌｏｃａｌ  Ａｒｅａ  Ｎｅｔｗｏｒｋ）、ＩｒＤＡ（Ｉｎｆｒａｒｅｄ  Ｄａｔａ  Ａｓｓｏｃｉａｔｉｏｎ）、Ｄ−ｓｕｂ（Ｄ−ｓｕｂｍｉｎｉａｔｕｒｅ）等により構成され得る。または、制御信号入力部１２５は、例えば、センサー１２２を構成するインターフェースと同じインターフェースにより構成され得る。
【００２９】
制御部１２１は、ＣＰＵ（Ｃｅｎｔｒａｌ  Ｐｒｏｃｅｓｓｉｎｇ  Ｕｎｉｔ）により構成されることができ、プログラムにしたがい送信機１２０の各構成要素を制御するとともに、各種データを処理する。
【００３０】
図４は、受信機の構成を示すブロック図である。
【００３１】
受信機１３０は、制御部１３１、操作部１３２、記憶部１３３、受信部１３４、および表示部１３５を有する。
【００３２】
受信部１３４は、各送信機１２０から送信信号を受信するとともに、送信信号の周波数に基づいてチャネルの番号を認識する。受信部１３４は、受信するチャネルを適宜切り替えて、ユーザーにより指定されたチャネルの送信信号のみを受信し得る。
【００３３】
操作部１３２は、ユーザーによる各種入力を受け付ける。操作部１３２は、キーボード等のハードウェア、表示部１３５に表示されるスクロールバー、ダイアログボックス、およびチェックボックス等により構成され得る。例えば、表示部１３５に表示されるチャネルの設定画面（図示せず）において、送信機１２０ごとに設定されたチャネルの番号がユーザーにより入力されることで、チャネルの番号が各送信機１２０と対応付けされて記憶部３１４において記憶され得る。これにより、各送信機１２０に設定されたチャネルの番号が受信機１３０において設定され得る。ユーザーは、各送信機１２０の情報と関連付けられて送信機管理装置１１０に登録されたチャネルの番号の情報に基づいて、送信機１２０ごとにチャネルの番号を設定できる。
【００３４】
記憶部１３３は、各種プログラムおよび各種データを記憶する。記憶部１３３は、例えば、ＲＡＭ、およびＨＤＤ（Ｈａｒｄ  Ｄｉｓｋ  Ｄｒｉｖｅ）により構成され得る。ＲＡＭは、例えば、制御部１３１によりプログラムが実行される際の作業領域として使用される。ＨＤＤには、制御部１３１が受信機１３０の各構成要素を制御するとともに、各種データを処理するためのプログラムが記憶される。また、ＨＤＤには、送信機１２０ごとに設定されたチャネルの番号が各送信機１２０と対応付けされて記憶される。また、ＨＤＤには、受信部１３４により受信された生体情報が記憶される。
【００３５】
表示部１３５は、例えば、液晶表示装置により構成されることができ、受信部１３４により受信された送信信号に含まれる生体情報を表示する。表示部１３５は、生体情報を、送信信号の周波数に基づき受信部１３４により認識されたチャネルの番号が設定された送信機１２０により測定された生体情報として表示し得る。また、表示部１３５は、スクロールバー、ダイアログボックス、およびチェックボックス等のユーザーインターフェースを表示する。
【００３６】
制御部１３１は、ＣＰＵにより構成されることができ、プログラムにしたがい受信機１３０の各構成要素を制御するとともに、各種演算処理を行う。
【００３７】
図５は、送信機管理装置の構成を示すブロック図である。
【００３８】
送信機管理装置１１０は、制御部１１１、操作部１１２、記憶部１１３、表示部１１４、登録情報出力部１１５、および制御信号出力部１１６を有する。制御部１１１および操作部１１２はサイト受付部およびチャネル受付部を構成する。制御部１１１は特定部を構成する。制御部１１１および記憶部１１３は登録部を構成する。
【００３９】
操作部１１２は、ユーザーによる各種入力を受け付ける。操作部１１２は、キーボード等のハードウェア、表示部１１４に表示されるスクロールバー、ダイアログボックス、およびチェックボックス等により構成され得る。
【００４０】
表示部１１４は、例えば、液晶表示装置により構成されることができ、後述する施設構造図、ゾーン管理表、およびチャネル一覧等を表示する。また、表示部１１４は、スクロールバー、ダイアログボックス、およびチェックボックス等のユーザーインターフェースを表示する。
【００４１】
記憶部１１３は、各種プログラムおよび各種データを記憶する。記憶部１１３は、例えば、ＲＡＭおよびＨＤＤにより構成され得る。ＲＡＭは、例えば、制御部１１１によりプログラムが実行される際の作業領域として使用される。ＨＤＤには、制御部１１１が送信機管理装置１１０の各構成要素を制御するとともに、各種データを処理するためのプログラムが記憶される。また、ＨＤＤには、送信機１２０により使用されている使用チャネルが、当該使用チャネルを使用する送信機１２０の情報と関連付けられて記憶されることで登録される。また、ＨＤＤには、施設構造図、ゾーン管理表、およびチャネル一覧が記憶される。
【００４２】
登録情報出力部１１５は、施設構造図、ゾーン管理表、およびチャネル一覧を用紙に印刷して出力する。また、登録情報出力部１１５は、施設構造図、ゾーン管理表、およびチャネル一覧を、ＰＤＦまたはＣＳＶ等のファイル形式でデータとして出力する。また、登録情報出力部１１５は、登録された送信機１２０の情報を使用チャネルと関連付けて出力する。登録情報出力部１１５は、プリンタードライバーおよびプリンタ等により構成され得る。
【００４３】
制御信号出力部１１６は、送信機１２０へのチャネルの設定または送信機１２０に設定されたチャネルの変更を行うための制御信号を送信機１２０またはチャネルライタ（図示せず）に出力するためのインターフェースである。チャネルの設定または変更が行われる送信機１２０が制御信号出力部１１６に接続された状態または送信機１２０がチャネルライタに接続され、チャネルライタが制御信号出力部１１６に接続された状態で、制御信号出力部１１６から送信機１２０またはチャネルライタに制御信号が出力される。これにより、制御信号にしたがい、送信機１２０へのチャネルの設定または送信機１２０に設定されたチャネルの変更が行われる。
【００４４】
制御部１１１は、ＣＰＵにより構成されることができ、プログラムにしたがい送信機管理装置１１０の各構成要素を制御するとともに、各種演算処理を行う。
【００４５】
図６は、表示部１１４に表示された施設構造図を示す図である。施設構造図は、登録された使用チャネルを使用する送信機１２０の設置場所およびチャネルの使用状況を、送信機１２０が設置された施設の構造とともに示す図である。
【００４６】
施設構造図は、送信機管理装置１１０において送信機管理装置用プログラムを起動させたときに表示部１１４に表示されるメイン画面において「送信機配置」タブを選択することで表示される。
【００４７】
施設構造図には、（１）施設内に設定されたサイト、（２）各サイトにおいて設定されたゾーン、（３）ゾーンに含まれる全チャネル、（４）使用チャネルと空きチャネルの区別、および、（５）全チャネル数に対する使用チャネル数の比等、が表示される。
【００４８】
（１）に関しては、２つの病棟（Ａ棟、Ｂ棟）を有する病院に８つのサイト（Ａ棟西病棟の２階、３階、５階、Ａ棟東病棟の２階、３階、５階、Ｂ棟の２階の透析室、循環器内科病棟）が設定されていることが表示されている。（２）に関しては、例えば、Ａ棟東病棟５階のサイトには「ゾーン１  バンド４」と表示されることで、Ａ棟東病棟５階のサイトには「ゾーン１  バンド４」というゾーンが設定されていることが表示されている。（３）に関しては、例えば、Ａ棟東病棟３階のサイトでは、３００３、３００７、３０１２、３０１９、３０２５、３０３５、３０５１が「ゾーン３  バンド３」というゾーンに含まれる全チャネルであることが表示されている。（４）に関しては、例えば、Ａ棟西病棟５階のサイトでは、使用チャネルである６００１が濃い色で、空きチャネルである６００４が薄い色で表示されることで使用チャネルと空きチャネルの区別が表示されている。（５）に関しては、例えば、Ａ棟東病棟５階のサイトには、「０／１０」という表示により全チャネル数である１０に対する使用チャネル数である０の比が表示されている。
【００４９】
表示部１１４に表示された施設構造図の画面において使用チャネルとして表示されているチャネルは、使用されているサイト以外の他のサイトにドラッグおよびドロップされることで他のサイトが指定されることにより、当該他のサイトへ移動され得る。同様に、施設構造図の画面において使用チャネルとして表示されているチャネルは、管理部門にドラッグおよびドロップされることで管理部門が指定されることにより、管理部門へ返却され得る。これにより、当該チャネルを使用する送信機１２０の移動や返却を送信機管理装置１１０に登録し得る。
【００５０】
施設構造図の画面において使用チャネルとして表示されているチャネル（例えば、チャネル６０３０）を右クリックすると、プルダウンメニューが表示される。当該プルダウンメニューにおいて、同じサイト内でのチャネルの変更、管理部への送信機１２０の返却、および故障による管理部への送信機１２０の返却のいずれかが選択されることで、選択された処理内容が送信機管理装置１１０に登録される。
【００５１】
施設構造図の右画面においては、送信機一覧が表示される。送信機一覧には、管理部に保管中、サイトで使用中、および修理中の状態の送信機１２０の情報の一覧が表示される。送信機１２０の情報には、送信機１２０の状態、型式、使用チャネルとして登録されたチャネル、場所、ゾーン、バンド、およびシリアル番号が含まれる。なお、使用チャネルが変更された送信機１２０は、変更されたチャネルを他のチャネルと区別できるような色で強調表示され得る。
【００５２】
なお、ゾーン管理をしない場合は、施設構造図には、（１）施設内に設定されたサイト、および（２）各サイトにおいて使用されている使用チャネルが表示される。また、送信機１２０の情報には、送信機１２０の状態、型式、使用チャネルとして登録されたチャネル、場所、およびシリアル番号が含まれる。
【００５３】
図７は、表示部１１４に表示された施設構造図において管理部門が選択された場合に表示される画面を示す図である。
【００５４】
送信機一覧には、選択されたサイトまたは管理部門に存在する送信機１２０の情報が表示される。
【００５５】
送信機一覧において、送信機配置先のプルダウンメニューにおいていずれかのサイトを選択すると、選択されたサイトに送信機１２０を移動する場合に、送信機１２０に設定された使用チャネルの設定変更が必要な送信機１２０と、設定変更が不要な送信機１２０とが区別できるように表示される。図７においては、使用チャネルの設定変更が不要な送信機１２０の情報が太字で、設定変更が必要な送信機１２０の情報が細字で示されている。
【００５６】
送信機一覧におけるいずれかの送信機１２０の表示を施設構造図の左画面に表示されたいずれかのサイトにドラッグおよびドロップすることで当該サイトを指定することにより、送信機１２０の当該サイトへの移動を登録し得る。
【００５７】
送信機一覧において送信機１２０の情報のいずれかの項目をクリックすることで、その項目で送信機一覧をソートし得る。
【００５８】
図８は、送信機１２０の移動が指定された際に表示される確認画面を示す図である。
【００５９】
図８のＡは、送信機１２０の移動が指定された際に表示部１１４に表示される確認画面を示す図である。
【００６０】
確認画面において「ＯＫ」ボタンが選択されると、ユーザーによる送信機１２０の移動の指定が維持され、「キャンセル」ボタンが選択されると、ユーザーによる送信機１２０の移動の指定が解除される。
【００６１】
図８のＢは、移動しようとする送信機１２０のチャネルが移動先として指定されたサイトに設定されたゾーンに含まれていない場合に表示される警告画面を示す図である。
【００６２】
移動しようとする送信機１２０のチャネルが移動先として指定されたサイトに設定されたゾーンに含まれていない場合は、登録されている使用チャネルと混信を起こす可能性がある。警告画面を表示することにより、混信の可能性を承知した上でのユーザーの意思を確認できる。
【００６３】
警告画面において「チャネル書換」ボタンが選択されると、図８のＣの画面が表示され、移動先として指定されたサイトに設定されたゾーンに含まれる空きチャネルが表示されるとともに、チャネル書き換えにより設定しようとするチャネルの指定が促される。使用チャネルとして登録されていないチャネルが空きチャネルとして特定され得る。
【００６４】
図８のＣは、チャネル書き換えが選択された際に表示されるチャネルの指定画面を示す図である。
【００６５】
チャネルの指定画面においては、移動先として指定されたサイトに設定されたゾーンに含まれる空きチャネルが濃い文字で表示される。なお、当該ゾーンに含まれる使用チャネルは、薄い文字で表示され得る。
【００６６】
チャネルを指定するためのダイアログボックスに、表示されたチャネルのいずれかを入力して、「設定」ボタンを選択すると、図８のＤの確認画面における確認終了後に、入力されたチャネルへの送信機１２０のチャネルの書き換え（変更）が登録される。なお、表示されたチャネル以外のチャネルへの変更もし得る。この場合は、使用チャネルと混信を起こす可能性がある旨の警告画面をさらに表示し、混信の可能性を承知した上でのユーザーの意思を再度確認し得る。
【００６７】
チャネルの指定画面において「キャンセル」ボタンが選択されると、ユーザーによる送信機１２０の移動の指定が解除される。
【００６８】
図８のＤは、チャネルの書き換えの際に表示される書き換え後チャネルの確認画面を示す図である。
【００６９】
書き換え後チャネルの確認画面においては、図８のＣにおいてユーザーが指定したチャネルが表示される。
【００７０】
書き換え後チャネルの確認画面において「ＯＫ」ボタンが選択されると、書き換え後のチャネルとして表示されたチャネルへの送信機１２０の書き換えが登録される。「キャンセル」ボタンが選択されると、ユーザーによる送信機１２０の移動の指定が解除される。また、送信機管理装置１１０の制御信号出力部１１６から、書き換え後のチャネルとして表示されたチャネルに送信機１２０のチャネルを書き換えるための制御信号が出力され得る。これにより、ユーザーに移動が指定された送信機１２０が、制御信号出力部１１６に接続されたチャネルライタに接続されている場合は、書き換え後のチャネルとして表示されたチャネルへの送信機１２０の書き換えが併せて実施され得る。
【００７１】
なお、ゾーン管理をしない場合は、図８のＢおよびＣの画面の代わりに、次のような画面が表示され、処理され得る。
【００７２】
指定したサイトへ移動しようとする送信機１２０のチャネルが、使用チャネルと重複し、または使用チャネルの周波数と隣接する周波数のチャネルである場合は、図８のＢと同様に警告画面を表示して、送信機１２０のチャネルの書き換えを促す。この際、移動しようとする送信機１２０のチャネルが、使用チャネルと重複する場合は、送信機１２０の移動が禁止される。移動しようとする送信機１２０のチャネルが、使用チャネルの周波数と隣接する周波数のチャネルである場合は、混信の可能性を表示し、ユーザーの意思を確認した上で、送信機１２０の移動が可能とされる。
【００７３】
チャネルの書き換えをする場合は、後述するチャネル使用状況一覧の画面を表示するとともに、図８のＣと同様に、チャネルを指定するためのダイアログボックスを表示する。使用チャネルと重複するチャネルの指定は禁止され、使用チャネルの周波数と隣接する周波数のチャネルが指定された場合は、再度、図８のＢと同様の警告画面が表示され得る。
【００７４】
図９は、表示部１１４に表示されたゾーン管理表を示す図である。ゾーン管理表は、登録された使用チャネルを使用する送信機１２０の設置場所および登録されたチャネルの使用状況をゾーンごとに示す図である。
【００７５】
ゾーン管理表は、送信機管理装置１１０において送信機管理装置用プログラムを起動させたときに表示部１１４に表示されるメイン画面において「ゾーン管理表」タブを選択することで表示される。
【００７６】
ゾーン管理表は、施設構造図の情報とリンクしており、各バンドにおける各ゾーンのチャネルを使用する送信機１２０の配置場所を表示する。なお、図９においては、配置の欄における送信機１２０の配置場所の表示が省略されている。
【００７７】
ゾーン管理表は、施設構造図の情報とリンクしているため、ゾーン管理表における送信機１２０の配置場所の編集は禁止され得る。
【００７８】
なお、ゾーン管理をしない場合は、ゾーン管理表は表示されない。
【００７９】
図１０は、表示部１１４に表示されたチャネル一覧を示す図である。チャネル一覧は、登録された使用チャネルを使用する送信機１２０の設置場所およびチャネルの使用状況をチャネルごとに示す図である。
【００８０】
チャネル一覧は、送信機管理装置１１０において送信機管理装置用プログラムを起動させたときに表示部１１４に表示されるメイン画面において「チャネル管理表」タブを選択することで表示される。
【００８１】
チャネル一覧は、施設構造図の情報とリンクしており、バンドごとに各チャネルを使用する送信機１２０の配置場所を表示する。ゾーンの表示は、チャネルの表示欄をゾーンごとに色分けすることで行い得る。なお、図１０においては、配置の欄における送信機１２０の配置場所の表示が省略されている。
【００８２】
チャネル一覧は、施設構造図の情報とリンクしているため、チャネル一覧における送信機１２０の配置場所の編集は禁止され得る。
【００８３】
なお、ゾーン管理をしない場合は、チャネルの表示欄のゾーンごとの色分けはされない。
【００８４】
図１１は、表示部１１４に表示された送信機管理画面を示す図である。図１２は、送信機管理画面において送信機１２０を新たに登録する際に表示される送信機新規登録画面を示す図である。
【００８５】
送信機管理画面は、送信機管理装置１１０において管理者用プログラムを起動させたときに表示部１１４に表示される初期画面において「送信機管理」タブを選択することで表示される。送信機管理画面および送信機新規登録画面の表示や、送信機管理画面に入力されたデータの処理等は、管理者用プログラムにしたがい、制御部１１１により実行される。
【００８６】
送信機管理画面は、送信機管理装置１１０の管理者が、登録されている送信機１２０の検索、および送信機１２０の新規登録等を行うための画面である。
【００８７】
送信機管理画面には、登録されている送信機１２０の状態、型式、チャネル、シリアル番号、メーカー、納入年月日、および、配置場所が表示される。さらに、送信機１２０のチャネルのゾーンおよびバンド、ならびに測定可能パラメータ（例えば、心電図波形、呼吸数、および酸素飽和度）等が表示される。各項目名がクリックされることで、その項目でソートされ得る。
【００８８】
機器検索のダイアログボックスに、上記各項目の情報が入力されて、「検索」ボタンが選択されることで、入力された情報に該当する送信機１２０のみが表示される。送信機１２０が選択された状態で、「除却」ボタンが選択されることで、選択された送信機１２０が送信機管理画面から消去される。送信機管理画面から消去された送信機１２０は登録が抹消され得る。
【００８９】
「新規登録」ボタンが選択されると、図１２に示す送信機新規登録画面が表示される。送信機新規登録画面において、送信機１２０の型式、メーカー、シリアル番号、チャネル、納入年月日、および測定可能パラメータ等の送信機情報が入力されて、「登録」ボタンが選択されることで、送信機１２０が新たに登録される。
【００９０】
なお、送信機新規登録画面において入力される送信機情報は、既存のＭＥ機器管理システムにおいて管理される送信機情報と整合させることが望ましい。これにより、ＭＥ機器管理システムから入力された送信機情報のデータを送信機管理装置１１０で利用できる。送信機情報をＭＥ機器管理システムと同期させることで、より簡便かつ正確に送信機１２０の登録ができる。また、送信機管理装置１１０において登録された送信機情報をＭＥ機器管理システムへ出力してＭＥ機器管理システムで利用できる。ＭＥ機器管理システムの例としては、ＣＥＩＡ（Ｃｌｉｎｉｃａｌ  Ｅｎｇｉｎｅｅｒｉｎｇ  Ｉｎｆｏｒｍａｔｉｏｎ  Ａｄｍｉｎｉｓｔｒａｔｉｏｎ）がある。
【００９１】
図１３は、表示部１１４に表示された施設マップ編集画面を示す図である。
【００９２】
施設マップ編集画面は、送信機管理装置１１０において管理者用プログラムを起動させたときに表示部１１４に表示される初期画面において「施設マップ編集」タブを選択することで表示される。施設マップ編集画面の表示や、施設マップ編集画面に入力されたデータの処理等は、管理者用プログラムにしたがい、制御部１１１により実行される。
【００９３】
施設マップ編集画面は、施設構造図を作成するために施設の基本的構造を登録するための画面である。図１３のＡは、施設の構造を入力する画面であり、図１３のＢは、施設のフロア（階）ごとに、サイト数を入力する画面である。
【００９４】
図１３のＡの画面において、ダイアログボックスに、それぞれ施設の棟名と棟の階数が入力され、「棟情報入力」ボタンが選択されると、図１３のＢの画面が表示される。
【００９５】
図１３のＢの画面において、フロア名とサイト数が入力され、「ＯＫ」ボタンが選択されると、施設の棟名、棟の階数、フロアごとのサイトの数が登録される。
【００９６】
なお、棟が複数ある場合は、図１３のＡの画面において、「棟追加」ボタンが選択されることで登録する棟を増加させ得る。また、棟のアイコン上で右クリックすることで当該棟が削除され得る。
【００９７】
図１４は、表示部１１４に表示された施設属性編集画面を示す図である。図１５は、サイト名を変更するための画面を示す図である。
【００９８】
施設属性編集画面は、送信機管理装置１１０において管理者用プログラムを起動させたときに表示部１１４に表示される初期画面において「ゾーン配置」タブを選択することで表示される。施設属性編集画面の表示や、施設属性編集画面に入力されたデータの処理等は、管理者用プログラムにしたがい、制御部１１１により実行される。
【００９９】
施設属性編集画面は、施設構造図を作成するために、施設マップ編集画面において登録された各サイトの属性を登録するための画面である。
【０１００】
施設属性編集画面には、登録された施設の棟、棟の階数、および各階のサイト数の情報に基づいて作成されたサイトのフレームが表示される。
【０１０１】
サイトのフレームにおいて、サイト名がダブルクリックされると、図１５の画面が表示される。図１５の画面のダイアログボックスにおいてサイト名を書き換えることでサイト名が編集され得る。
【０１０２】
施設属性編集画面において、「ゾーン管理をする」のチェックボックスをチェックすることで、ゾーン管理することを指定できる。さらに、送信機１２０を使用するサイトについては、「送信機使用」のチェックボックスをチェックすることで、ゾーン番号およびバンド番号を入力するためのダイアログボックスが表示される。ゾーンおよびバンドのダイアログボックスにそれぞれゾーン番号およびバンド番号が入力されることにより、サイトごとにゾーンが設定される。
【０１０３】
送信機１２０を管理する部門がある場合、「管理部」のラジオボタンを選択する。
【０１０４】
送信機１２０を使用するサイトにおいては、「送信機数」のダイアログボックスに当該サイトで使用する送信機１２０の数を入力することで使用予定の送信機１２０の数を登録できる。入力された送信機１２０の数に応じて、ゾーンおよびバンドのダイアログボックスが増加され得る。これは、一つのゾーンで設定可能なチャネルの数が限定されているからである。
【０１０５】
送信機１２０の数を入力した後、「自動配置」ボタンを選択すると、チャネルの混信が起こらないようにゾーンの自動配置がなされ、ゾーンおよびバンドのダイアログボックスにそれぞれゾーン番号およびバンド番号が入力される。この際、チェックボックスにチェックすることで使用するバンドを指定できる。
【０１０６】
なお、ゾーンおよびバンドはダイアログボックスに手動で入力することで任意に指定し得る。その際、他のサイトで使用されているゾーンおよびバンドが入力されると、当該サイトを表示する部分が強調表示され、警告メッセージが表示されることにより、ゾーンおよびバンドの再設定が促され得る。再設定がされない限り、ゾーンおよびバンドの設定は完了されない。
【０１０７】
他のサイトで使用されているゾーンに隣接するゾーンが指定されると、当該サイトを表示する部分が強調表示され、隣接ゾーンの使用になる旨の警告を表示する。この場合、ゾーンおよびバンドの再設定がされなくても、隣接ゾーンの使用になることを承知した上でのユーザーの意思が確認されることにより、ゾーンおよびバンドの設定が完了され得る。
【０１０８】
なお、ゾーン管理をしない場合は、ゾーンおよびバンドのダイアログボックスは表示されず、ゾーンの自動配置もなされない。
【０１０９】
図１６は、表示部１１４に表示されたチャネル変更リストの画面を示す図である。
【０１１０】
チャネル変更リストは、施設構造図が表示された画面において、「チャネル変更リスト」ボタンが選択された際に表示される。チャネル変更リストの表示や、チャネル変更リストの画面に入力されたデータの処理等は、送信機管理プログラムにしたがい、制御部１１１により実行される。
【０１１１】
チャネル変更リストは、確認画面を構成する。
【０１１２】
チャネル変更リストには、施設構造図が表示された画面において、チャネルの変更が行われた送信機１２０の情報が追加される。
【０１１３】
チャネル変更リストには、チャネルの変更が行われた送信機１２０の情報として、送信機１２０の型式、シリアル番号、変更前チャネル、変更後チャネル、配置場所、および変更日時が表示される。
【０１１４】
ユーザーにより送信機１２０のチャネルが実際に変更された後、チェックボックスがチェックされ、「チャネル変更済  消去」ボタンが選択されることにより当該送信機１２０の情報がチャネル変更リストから消去される。これにより、施設構造図が表示された画面において、チャネル変更（チャネルの書き換え）の指定がされることで強調表示されていたチャネルの当該強調表示が解除される。
【０１１５】
チャネル変更リストに送信機１２０の情報の表示が残っている場合は、送信機管理プログラムが終了する際に、チャネル変更リストが表示される。チャネル変更リストから送信機１２０の情報の表示が消去されない限り、チャネル変更リストの表示が継続され、送信機管理プログラムの終了が妨げられる。これにより、ユーザーの忘却により、送信機１２０のチャネルが変更されず、登録された使用場所へ移動されない状態で放置されることを防止できる。
【０１１６】
チャネル変更リストは、例えば、施設構造図が表示された画面において、所定のコマンドを入力することで表示され得る。
【０１１７】
図１７は、表示部１１４に表示された管理表出力画面を示す図である。
【０１１８】
管理表出力画面において、施設構造図、ゾーン管理表、およびチャネル一覧のうち出力したい図表を選択し、「印刷」、「ＰＤＦ出力」、および「ＣＳＶ出力」のいずれかのボタンを選択することにより、選択した形式で上記図表を出力できる。すなわち、「印刷」ボタンを選択した場合は、登録情報出力部１１５により用紙に図表が印刷され出力される。「ＰＤＦ出力」および「ＣＳＶ出力」を選択すると、登録情報出力部１１５により、それぞれ、ＰＤＦおよびＣＳＶのファイル形式で図表のデータが出力される。
【０１１９】
送信機管理装置１１０の動作について説明する。
【０１２０】
図１８は、送信機管理装置の動作を示すフローチャートである。本フローチャートは、送信機管理装置用プログラムにしたがい送信機管理装置１１０の制御部１１１により実行されることができる。
【０１２１】
制御部１１１は、施設構造図の画面において使用チャネルとして表示されているチャネルが、使用しているサイト以外の他のサイトまたは管理部にドラッグおよびドロップされたかどうか判断する（Ｓ１０１）。
【０１２２】
制御部１１１は、使用チャネルとして表示されているチャネルが、使用しているサイト以外の他のサイトまたは管理部にドラッグおよびドロップされたと判断した場合は（Ｓ１０１：ＹＥＳ）、他のサイトにドラッグおよびドロップされたかどうか判断する（Ｓ１０２）。
【０１２３】
制御部１１１は、他のサイトにドラッグおよびドロップされず、管理部にドラッグおよびドロップされたと判断した場合は（Ｓ１０２：ＮＯ）、送信機１２０の管理部への返却を登録する（Ｓ１１５）。その後、送信機１２０の管理部への返却の確認画面を表示し（Ｓ１０７）、ユーザーによる確認の応答があった場合は（Ｓ１０８：ＹＥＳ）、プログラムを終了する。この際、送信機１２０を実際に管理部に返却した後に確認の応答を行うことをユーザーに義務付けることにより、送信機１２０の管理部への返却を担保できる。ユーザーによる確認の応答がない場合は（Ｓ１０８：ＮＯ）、プログラムは終了しない。これによって、ユーザーの忘却により、送信機１２０が管理部へ返却されない状態で放置されることを防止できる。
【０１２４】
制御部１１１は、他のサイトにドラッグおよびドロップされたと判断した場合は（Ｓ１０２：ＹＥＳ）、送信機１２０のチャネルが、当該他のサイトに設定されたゾーン内のチャネル（すなわち、同じバンドの同じゾーンに含まれるチャネル）かどうか判断する（Ｓ１０３）。
【０１２５】
制御部１１１は、送信機１２０のチャネルが他のサイトに設定されたゾーン内のチャネルであると判断した場合は（Ｓ１０３：ＹＥＳ）、送信機１２０のチャネルが使用チャネルと重複するかどうか判断する（Ｓ１１３）。
【０１２６】
制御部１１１は、重複がないと判断した場合は（Ｓ１１３：ＮＯ）、送信機１２０のチャネルを変更せずに、送信機１２０のチャネルの使用場所の変更を登録する（Ｓ１１４）
。その後、送信機１２０のチャネルの使用場所の確認画面が表示され（Ｓ１０７）、ユーザーによる確認の応答があった場合は（Ｓ１０８：ＹＥＳ）、プログラムを終了する。この際、送信機１２０を実際に変更後のチャネルの使用場所に設置した後に確認の応答を行うことをユーザーに義務付けることにより、送信機１２０の登録された使用場所への移動を担保できる。ユーザーによる確認の応答がない場合は（Ｓ１０８：ＮＯ）、プログラムは終了しない。これによって、ユーザーの忘却により、送信機１２０が登録された使用場所へ移動されない状態で放置されることを防止できる。
【０１２７】
制御部１１１は、重複があると判断した場合は（Ｓ１１３：ＹＥＳ）、ステップＳ１０４に移行して処理を継続する。
【０１２８】
制御部１１１は、ステップＳ１０３で、送信機１２０のチャネルが他のサイトに設定されたゾーン内のチャネルではないと判断した場合は（Ｓ１０３：ＮＯ）、使用可能なチャネルとして、他のサイトに設定されたゾーンに含まれるチャネルを表示する（Ｓ１０４）。これにより、ユーザーは、使用可能なチャネルとして表示されたチャネルから、送信機１２０のチャネルとして設定すべきチャネルを選択することが促される。
【０１２９】
制御部１１１は、ユーザーにより指定されたチャネルが、使用可能なチャネルとして表示したチャネルかどうか判断する（Ｓ１０５）。
【０１３０】
制御部１１１は、ユーザーにより指定されたチャネルが、使用可能なチャネルとして表示したチャネルであると判断した場合は（Ｓ１０５：ＹＥＳ）、送信機１２０のチャネルの指定されたチャネルへの変更を登録する（Ｓ１０６）。その後、送信機１２０の使用場所の確認画面を表示し（Ｓ１０７）、ユーザーによる確認の応答があった場合は（Ｓ１０８：ＹＥＳ）、プログラムを終了する。この際、送信機１２０のチャネルを実際に変更後のチャネルに設定し、かつ、使用場所に設置した後に確認の応答を行うことをユーザーに義務付けることにより、送信機１２０のチャネルの変更および登録された使用場所への移動を担保できる。ユーザーによる確認の応答がない場合は（Ｓ１０８：ＮＯ）、プログラムは終了しない。これによって、ユーザーの忘却により、送信機１２０のチャネルが変更されず、登録された使用場所へ移動されない状態で放置されることを防止できる。
【０１３１】
なお、ユーザーは、ステップＳ１０４において表示されたチャネルのうちのいずれかを常時指定することにより、ゾーン管理を行うことができる。一方、ステップＳ１０４において表示されたチャネル以外のチャネルがユーザーにより指定されると、ゾーン管理がなされていないことになる。
【０１３２】
制御部１１１は、ユーザーにより指定されたチャネルが、使用可能なチャネルとして表示したチャネルではないと判断した場合は（Ｓ１０５：ＮＯ）、指定されたチャネルが使用チャネルと重複するかどうか判断する（Ｓ１０９）。
【０１３３】
制御部１１１は、指定されたチャネルが使用チャネルと重複すると判断した場合は（Ｓ１０９：ＹＥＳ）、ステップＳ１０４に再度移行し、使用可能なチャネルとして、他のサイトに設定されたゾーンに含まれるチャネルを表示する。
【０１３４】
制御部１１１は、指定されたチャネルが使用チャネルと重複しないと判断した場合は（Ｓ１０９：ＮＯ）、指定されたチャネルが他のサイトで使用されることで使用チャネルとの混信が起こるかどうか判断する（Ｓ１１０）。例えば、他のサイトで使用チャネルの登録が無い場合は、混信が起こらないと判断する。一方、例えば、指定されたチャネルが他のサイトで使用されている使用チャネルと隣接するチャネルである場合は、混信が起こると判断し得る。
【０１３５】
制御部１１１は、指定されたチャネルが他のサイトで使用されることで使用チャネルとの混信が起こらないと判断した場合は（Ｓ１１０：ＮＯ）、送信機１２０のチャネルの指定されたチャネルへの変更を登録する（Ｓ１０６）。その後、送信機１２０の使用場所の確認画面が表示され（Ｓ１０７）、ユーザーによる確認の応答があった場合は（Ｓ１０８：ＹＥＳ）、プログラムが終了され得る。この際、送信機１２０のチャネルを実際に変更後のチャネルに設定し、かつ、使用場所に設置した後に確認の応答を行うことをユーザーに義務付けることにより、送信機１２０のチャネルの変更および登録された使用場所への移動を担保できる。ユーザーによる確認の応答がない場合は（Ｓ１０８：ＮＯ）、プログラムは終了しない。これによって、ユーザーの忘却により、送信機１２０のチャネルが変更されず、登録された使用場所へ移動されない状態で放置されることを防止できる。
【０１３６】
制御部１１１は、指定されたチャネルが他のサイトで使用されることで使用チャネルとの混信が起こり得ると判断した場合は（Ｓ１１０：ＹＥＳ）、登録されている使用チャネルと混信を起こす可能性があることの確認を促す警告画面を表示する（Ｓ１１１）。
【０１３７】
制御部１１１は、警告画面においてユーザーによりチャネル変更をしない旨の応答があったことによりチャネル変更の意思がないことを確認した場合は（Ｓ１１２：ＮＯ）、送信機１２０のチャネルの指定されたチャネルへの変更を登録する（Ｓ１０６）。使用チャネルとの混信を起こす可能性があっても指定されたチャネルへの変更を登録するのは、緊急の場合等に、１つのサイトで比較的多くの送信機１２０を使用しなければならない場合があるからである。その後、送信機１２０の使用場所の確認画面が表示され（Ｓ１０７）、ユーザーによる確認の応答があった場合は（Ｓ１０８：ＹＥＳ）、プログラムを終了する。この際、送信機１２０のチャネルを実際に変更後のチャネルに設定し、かつ、使用場所に設置した後に確認の応答を行うことをユーザーに義務付けることにより、送信機１２０のチャネルの変更および登録された使用場所への移動を担保できる。ユーザーによる確認の応答がない場合は（Ｓ１０８：ＮＯ）、プログラムは終了しない。これによって、ユーザーの忘却により、送信機１２０のチャネルが変更されず、登録された使用場所へ移動されない状態で放置されることを防止できる。
【０１３８】
制御部１１１は、警告画面においてユーザーによりチャネル変更をする旨の応答があったことによりチャネル変更の意思があることを確認した場合は（Ｓ１１２：ＹＥＳ）、再度ステップＳ１０４に移行する。
【０１３９】
本実施形態は以下の効果を奏する。
【０１４０】
ユーザーが送信機を設置しようとするサイトに応じて、すでに使用されているチャネルと混信を起こさない空きチャネルを特定して表示することにより、混信を起こさないチャネルの送信機への設定を確実かつ容易に実現できる。
【０１４１】
さらに、サイトごとに設定された、混信を起こさないチャネルの組合せからなるゾーンのうち、送信機を設置しようとするサイトに設定されたゾーンにおいて使用されていないチャネルを特定して表示する。これにより、ゾーン管理に基づいて、送信機へのチャネルの設定をより適切に実現できる。
【０１４２】
さらに、ユーザーが送信機を設置しようとするサイトで送信機に使用するチャネルとして指定されたチャネルを使用チャネルとして登録し、登録されていないチャネルを空きチャネルとして特定する。これにより、短時間で、かつより確実に混信を起こさないチャネルの設定ができる。
【０１４３】
さらに、登録されている使用チャネルと同一のチャネルがユーザーにより指定された場合、指定されたチャネルの登録を拒否する。これにより、短時間で、かつより確実にチャネルの重複使用を防止できる。
【０１４４】
さらに、登録されている使用チャネルと混信を起こすチャネルがユーザーにより指定された場合、警告を発する。これにより、警告することで、混信の可能性を承知した上でのユーザーの意思を確認できる。
【０１４５】
さらに、ユーザーが送信機を設置しようとするサイトに設定されたゾーンに含まれていないチャネルがユーザーにより指定された場合、警告を発する。これにより、警告することで、ゾーン管理がされないことによる混信の可能性を承知した上でのユーザーの意思を確認できる。
【０１４６】
さらに、登録された使用チャネルを使用する送信機の設置場所およびチャネルの使用状況の少なくとも一つを、施設構造図、ゾーン管理表、およびチャネル一覧の少なくとも一つによりさらに表示する。これにより、送信機の設置場所およびチャネルの使用状況のいずれかを把握しようとするユーザーに対し、より適切な表示方法で情報を提示できる。
【０１４７】
さらに、使用チャネルを使用する送信機の情報を、使用チャネルと関連付けて登録し、登録された送信機の情報を、使用チャネルと関連付けて出力する。これにより、使用チャネルを使用する送信機の情報をより簡潔にユーザーに提示できる。
【０１４８】
さらに、ユーザーにより指定されたチャネルを受け付けた際に、当該チャネルへの送信機のチャネルの設定または変更を行うための制御信号を出力させる。これにより、指定されたチャネルを受け付ける際に、併せて送信機へのチャネルの設定または変更を行うことができるため、ユーザーの忘却により、送信機のチャネルが設定または変更されない状態で放置されることをより確実に防止できる。
【０１４９】
さらに、登録された使用チャネルに送信機のチャネルが設定されたことの確認を求める確認画面を表示し、確認画面において確認したことを示す応答がユーザーにより入力されない限り確認画面の表示を継続する。これにより、ユーザーにより送信機へのチャネルの設定が確認されない限りプログラムを終了させないことで、ユーザーの忘却により、送信機のチャネルが設定または変更されない状態で放置されることを防止できる。
【０１５０】
以上、本発明の実施形態に係る送信機管理装置および送信機管理装置用プログラムについて詳細に説明したが、本発明は上述した実施形態に限定されるものではない。
【０１５１】
例えば、上述した実施形態においては、ユーザーに指定されたサイトで使用された場合に使用チャネルと混信を起こさないチャネルとして、当該サイトに設定されたゾーンに含まれる空きチャネルを表示している。しかし、混信を起こさないチャネルであれば、当該ゾーンに含まれない空きチャネルを表示してもよい。
【０１５２】
また、混信を起こさないチャネルを表示せずに、当該混信を起こさないチャネルのうちのいずれかを、送信機が使用するチャネルとして送信機管理装置が自動的に決定してもよい。
【０１５３】
また、上述した実施形態においては、ユーザーに指定されたチャネルが使用チャネルと混信を起こす可能性がある場合に警告として警告画面を表示するが、警告は音声等によってなされてもよい。
【０１５４】
また、送信機管理装置が有する機能を受信機が有するようにすることで、送信機管理装置が受信機に組み込まれてもよい。
【０１５５】
また、上述した実施形態においてプログラムにより実現される機能の一部または全部を回路等のハードウェアにより実現してもよい。
【符号の説明】
【０１５６】
１００    医療用システム、
１１０    受信機、
１２０    送信機。
【図１】
0006725383.tif 000002
【図２】
0006725383.tif 000003
【図３】
0006725383.tif 000004
【図４】
0006725383.tif 000005
【図５】
0006725383.tif 000006
【図６】
0006725383.tif 000007
【図７】
0006725383.tif 000008
【図８】
0006725383.tif 000009
【図９】
0006725383.tif 000010
【図１０】
0006725383.tif 000011
【図１１】
0006725383.tif 000012
【図１２】
0006725383.tif 000013
【図１３】
0006725383.tif 000014
【図１４】
0006725383.tif 000015
【図１５】
0006725383.tif 000016
【図１６】
0006725383.tif 000017
【図１７】
0006725383.tif 000018
【図１８】
0006725383.tif 000019